(57)【要約】      （修正有）【課題】日和見ディスプレイのための触覚フィードバックを提供する。【解決手段】システム１００は、センサ１３２、コンピュータ装置１０１の近く又はコンピュータ装置のユーザの視野内に有るディスプレイ装置１３６を検出するように構成されるセンサと通信するコンピュータ装置を含む。また、センサは、センサと通信するプロセッサ１０２にディスプレイ装置に関係付けられる信号を送信するように構成される。プロセッサは、信号に基づいて、コンテンツ（例えば、テキスト、画像、音声、映像等）を表示または、出力するためのディスプレイ装置の可用性及びディスプレイ装置の場所を決定するように構成される。また、プロセッサは、ディスプレイ装置の可用性及び場所に基づいて触覚効果を決定し、かつ、触覚効果に関係付けられる触覚信号を送信するように構成される。また、触覚信号を受信して、触覚効果を出力するように構成される触覚出力装置も含む。【選択図】図１
2017224290.tif 000002
【特許請求の範囲】
【請求項１】
コンピュータ装置と、
前記コンピュータ装置に通信可能に結合されるセンサであって、前記センサに近接し且つ前記コンピュータ装置のユーザの視野内に有るディスプレイ装置を検出して、前記ディスプレイ装置に関連する信号を送信するように構成されるセンサと、
前記信号を受信するために前記センサに通信可能に結合されるプロセッサであって、
前記信号に基づいて、コンテンツを出力するための前記ディスプレイ装置の可用性及び前記ディスプレイ装置の場所を決定し、
前記ディスプレイ装置の前記可用性及び前記場所に少なくとも部分的に基づいて第１の触覚効果を決定し、且つ
前記第１の触覚効果に関係付けられる第１の触覚信号を送信する
ように構成されるプロセッサと、
前記第１の触覚信号を受信し、且つ前記第１の触覚効果を出力するように構成される触覚出力装置と  
を備える、システム。
【請求項２】
前記プロセッサは、コンテンツを含むデータを前記ディスプレイ装置に送信するように更に構成され、前記コンテンツは、テキスト、画像、音声又は映像を含む、請求項１に記載のシステム。
【請求項３】
前記プロセッサは、
前記コンテンツに少なくとも部分的に基づいて第２の触覚効果を決定し、且つ前記第２の触覚効果を出力するように構成される前記触覚出力装置に第２の触覚信号を送信する
ように更に構成される、請求項２に記載のシステム。
【請求項４】
前記第１の触覚効果は、前記ユーザに対する前記ディスプレイ装置の水平位置に関係付けられる水平触覚効果及び前記ユーザに対する前記ディスプレイ装置の垂直位置に関係付けられる垂直触覚効果を含む、請求項１に記載のシステム。
【請求項５】
前記触覚出力装置は第１の触覚出力装置及び第２の触覚出力装置を含み、前記第１の触覚出力装置は前記水平触覚効果を出力するように構成され、前記第２の触覚出力装置は前記垂直触覚効果を出力するように構成される、請求項４に記載のシステム。
【請求項６】
前記プロセッサは、
前記信号に基づいて前記ディスプレイ装置のサイズ、形状又はタイプを決定し、
前記ディスプレイ装置の前記サイズ、形状又はタイプに少なくとも部分的に基づいて第２の触覚効果を決定し、且つ
前記第２の触覚効果を出力するように構成される前記触覚出力装置に第２の触覚信号を送信する
ように更に構成される、請求項１に記載のシステム。
【請求項７】
前記プロセッサは、
前記ディスプレイ装置から表示信号を受信し、且つ
前記表示信号に基づいて前記ディスプレイ装置の前記可用性及び前記場所を決定する
するように更に構成され、
前記ディスプレイ装置は、前記ユーザの前記視野を検出するように構成されるディスプレイ装置センサからのデータに基づいて前記ユーザの前記視野の方向を決定するように構成されるディスプレイ装置プロセッサを備える、請求項１に記載のシステム。
【請求項８】
前記ディスプレイ装置センサは、前記ユーザの目に関係付けられる画像をキャプチャするように構成されるカメラを含み、前記ディスプレイ装置プロセッサは、前記画像に基づいて前記ユーザの前記視野の方向を決定するように構成される、請求項７に記載のシステム。
【請求項９】
前記ディスプレイ装置センサは、前記ユーザの目における筋肉の動きを監視するように構成され、前記ディスプレイ装置プロセッサは、監視された動きに基づいて前記ユーザの前記視野を決定するように構成される、請求項７に記載のシステム。
【請求項１０】
前記ディスプレイ装置は、ディスプレイ触覚出力装置を備え、前記ディスプレイ装置プロセッサは、
前記ユーザの前記視野の方向に少なくとも部分的に基づいてディスプレイ装置触覚効果を決定し、且つ
前記ディスプレイ装置触覚効果を出力するように構成される前記ディスプレイ触覚出力装置に前記ディスプレイ装置触覚効果に関係付けられるディスプレイ装置触覚信号を送信する
ように更に構成される、請求項７に記載のシステム。
【請求項１１】
前記センサは、前記システム又は前記センサの前記ユーザに関係付けられる場所信号を送信し、且つ前記場所信号に基づいて前記ディスプレイ装置の前記場所及び前記可用性に関するデータを受信するように構成される、請求項１に記載のシステム。
【請求項１２】
コンピュータ装置に通信可能に結合されるセンサによって、前記センサに近接し且つ前記コンピュータ装置のユーザの視野内に有るディスプレイ装置を検出するステップと、
前記センサによって、前記ディスプレイ装置に関係付けられるセンサ信号をプロセッサに送信するステップと、
前記プロセッサによって、前記センサ信号に少なくとも部分的に基づいて前記ユーザにコンテンツを出力するための前記ディスプレイ装置の可用性及び前記ディスプレイ装置の場所を決定するステップと、
前記プロセッサによって、前記ディスプレイ装置の前記可用性及び前記場所に少なくとも部分的に基づいて第１の触覚効果を決定するステップと、
前記プロセッサによって、前記第１の触覚効果に関係付けられる第１の触覚信号を触覚出力装置に送信するステップと、
前記触覚出力装置によって、前記第１の触覚効果を出力するステップと
を含む、方法。
【請求項１３】
前記第１の触覚効果は、前記ユーザに対する前記ディスプレイ装置の水平位置に関係付けられる水平触覚効果及び前記ユーザに対する前記ディスプレイ装置の垂直位置に関係付けられる垂直触覚効果を含む、請求項１２に記載の方法。
【請求項１４】
前記プロセッサによって、前記コンテンツを含むデータを前記ディスプレイ装置に送信するステップを更に含み、前記コンテンツは、画像、音声、映像又はテキストを含む、請求項１２に記載の方法。
【請求項１５】
前記プロセッサによって、前記コンテンツに少なくとも部分的に基づいて第２の触覚効果を決定するステップと、
前記プロセッサによって、前記第２の触覚効果に関係付けられる第２の触覚信号を前記触覚出力装置に送信するステップと、
前記触覚出力装置によって、前記第２の触覚効果を出力するステップと
を更に含む、請求項１４に記載の方法。
【請求項１６】
前記プロセッサによって、前記センサ信号に基づいて前記ディスプレイ装置のサイズ、形状又はタイプを決定するステップと、
前記プロセッサによって、前記ディスプレイ装置の前記サイズ、形状又はタイプに少なくとも部分的に基づいて第２の触覚効果を決定するステップと、
前記プロセッサによって、前記第２の触覚効果に関係付けられる第２の触覚信号を前記触覚出力装置に送信するステップと、
前記触覚出力装置によって、前記第２の触覚効果を出力するステップと
を更に含む、請求項１２に記載の方法。
【請求項１７】
前記センサ信号に基づいて前記ユーザにコンテンツを出力するための前記ディスプレイ装置の可用性及び前記ディスプレイ装置の場所を決定するステップは、
前記プロセッサによって、前記ディスプレイ装置から表示信号を受信すること、及び
前記表示信号に少なくとも部分的に基づいて前記ディスプレイ装置の前記可用性及び前記場所を決定すること
を含み、
前記ディスプレイ装置は前記ユーザの前記視野を検出するように構成されるディスプレイ装置センサからのデータに基づいて前記ユーザの前記視野の方向を決定するように構成されるディスプレイ装置プロセッサを備える、請求項１２に記載の方法。
【請求項１８】
前記ディスプレイ装置センサは、前記ユーザの目に関係付けられる画像をキャプチャするように構成されるカメラを含み、前記ディスプレイ装置プロセッサは、前記画像に基づいて前記ユーザの前記視野の方向を決定するように構成される、請求項１７に記載の方法。
【請求項１９】
前記ディスプレイ装置センサは、前記ユーザの目の動きを監視するように構成され、前記ディスプレイ装置プロセッサは、監視された動きに基づいて前記ユーザの前記視野を決定するように構成される、請求項１７に記載の方法。
【請求項２０】
前記ディスプレイ装置は、ディスプレイ触覚出力装置を備え、前記方法は、
前記ディスプレイ装置プロセッサによって、前記ユーザの前記視野の方向に少なくとも部分的に基づいてディスプレイ装置触覚効果を決定するステップと、
前記ディスプレイ装置プロセッサによって、前記ディスプレイ装置触覚効果を出力するように構成される前記ディスプレイ触覚出力装置に前記ディスプレイ装置触覚効果に関係付けられるディスプレイ装置触覚信号を送信するステップと
を更に含む、請求項１７に記載の方法。
【発明の詳細な説明】
【技術分野】
【０００１】
本開示は、一般に、ユーザインターフェース装置に関する。より詳細には、限定されないが、本開示は、日和見ディスプレイのための触覚フィードバックに関する。
【背景技術】
【０００２】
現代の多くの装置は、装置のユーザにコンテンツを提供するために使用できるディスプレイ装置を含んでいる。コンテンツは、テキスト、画像、音声、映像等を含み得る。傍観者（例えば、装置を見ている別のユーザ）も、ディスプレイ装置に提供されるコンテンツを観察する場合がある。しかしながら、一部のディスプレイ装置は触覚フィードバック機能を欠く場合がある。更に、ディスプレイが傍観者に関連しているかもしれないコンテンツを提供している場合に、傍観者の注意がディスプレイに引き付けられない場合がある。
【発明の概要】
【０００３】
本開示の様々な実施形態は、日和見ディスプレイのための触覚フィードバックを提供するシステム及び方法を提供する。
【０００４】
一実施形態では、本開示のシステムは、コンピュータ装置とコンピュータ装置に通信可能に結合されるセンサとを備えてもよい。センサは、センサに近接し且つコンピュータ装置のユーザの視野内に有るディスプレイ装置を検出して、ディスプレイ装置に関係付けられる信号を送信するように構成され得る。また、システムは、センサと通信するプロセッサを備え、プロセッサは、センサから信号を受信し、信号に基づいて、コンテンツ（例えば、テキスト、画像、音声、映像、アニメーショングラフィックス等）をユーザに表示又は出力するためのディスプレイ装置の可用性を決定し、ディスプレイ装置の場所を決定するように構成される。また、プロセッサは、ディスプレイ装置の可用性及びディスプレイ装置の場所に少なくとも部分的に基づいて第１の触覚効果を決定するように構成され得る。プロセッサは、第１の触覚効果に関係付けられる第１の触覚信号を送信し得る。システムは、第１の触覚信号を受信して、第１の触覚効果を出力するように構成される触覚出力装置を更に備えてもよい。
【０００５】
別の実施形態では、本開示の方法は、コンピュータ装置に通信可能に結合されるセンサによって、センサに近接し且つコンピュータ装置のユーザの視野内に有るディスプレイ装置を検出するステップと、センサによって、ディスプレイ装置に関係付けられるセンサ信号をプロセッサに送信するステップとを含んでもよい。また、方法は、プロセッサによって、センサ信号に少なくとも部分的に基づいて、ユーザにコンテンツを出力するディスプレイ装置の可用性及びディスプレイ装置の場所を決定するステップを含んでもよい。また、方法は、プロセッサによって、ディスプレイ装置の可用性及びディスプレイ装置の場所に少なくとも部分的に基づいて第１の触覚効果を決定するステップを含んでもよい。また、方法は、プロセッサによって、第１の触覚効果に関係付けられる第１の触覚信号を触覚出力装置に送信するステップを含んでもよい。触覚出力装置は、第１の触覚信号を受信して、第１の触覚効果を出力するように構成されてもよい。更に別の実施形態は、このような方法を実装するためのコンピュータ可読媒体を含む。
【０００６】
こうした例示の実施形態は、本主題を限定し又はその限界を定義するためではなく、その理解を支援するための例示を提供するために言及される。例示の実施形態は、詳細な説明において検討され、そこでは更なる説明が提供される。本明細書を吟味することによって、及び／又は請求項に記載の主題の１つ以上の実施形態を実施することによって、様々な実施形態によってもたらされる利点が更に理解され得る。
【図面の簡単な説明】
【０００７】
本明細書の以下の部分には完全な且つ実施可能な開示がより詳細に説明される。本明細書は以下の添付の図面を参照する。
【図１】一実施形態による日和見ディスプレイ用の触覚フィードバックのためのシステムを示すブロック図である。
【図２】一実施形態による日和見ディスプレイ用の触覚フィードバックのためのシステムの実施形態を示す。
【図３】別の実施形態による日和見ディスプレイ用の触覚フィードバックのためのシステムの別の実施形態を示す。
【図４】一実施形態による日和見ディスプレイ用の触覚フィードバックを提供する方法を実行するためのステップのフローチャートである。
【図５】別の実施形態による日和見ディスプレイ用の触覚フィードバックを提供する別の方法を実行するためのステップのフローチャートである。
【発明を実施するための形態】
【０００８】
次に、多様な及び代替的な例示の実施形態及び添付の図面を詳細に参照する。各例示は、限定としてではなく、説明目的で提供される。修正及び変更が行われ得ることは、当業者には明らかであろう。例えば、一実施形態の一部として例示され又は記載された特徴は、更なる実施形態をもたらすために別の実施形態において使用されてもよい。従って、本開示は、添付の請求項及び均等物の範囲に入る修正及び変形を含むことが意図されている。
【０００９】
［日和見ディスプレイ用の触覚フィードバックの例示］
本開示の１つの例示的な実施形態は、スマートフォン又はスマートウォッチ等のコンピュータ装置を含む。コンピュータ装置は、センサ、メモリ、触覚出力装置、及びこうした要素の各々と通信するプロセッサを備える。
【００１０】
例示の実施形態では、センサは、コンピュータ装置の近くに日和見ディスプレイ装置を検出してもよい。日和見ディスプレイ装置は、コンピュータ装置、センサ、又はコンピュータ装置のユーザ（例えば、スマートウォッチを装着しているユーザ又はスマートフォンのユーザ）に近接しているディスプレイ装置を含み、コンピュータ装置のユーザ又は別のユーザにコンテンツを出力又は表示するために使用され得る。例えば、日和見ディスプレイ装置は、別のスマートフォン、スマートウォッチ上のディスプレイ装置、又はユーザの近くでコンピュータ装置のユーザの視野内に有る他のディスプレイ装置であってもよく、ディスプレイ装置がユーザにコンテンツを提供するために使用できるようにコンピュータ装置と通信可能であってもよい。従って、例えば、ユーザは、ユーザのコンピュータ装置でコンテンツを受信するが、日和見ディスプレイに表示されるコンテンツを見たい可能性が有る。例えば、ユーザが別の人物に向かい合って座っており、他の人物のスマートウォッチディスプレイを見ることができる場合、ユーザは、スマートウォッチがユーザの視野に有る間に所定のテキストメッセージが他の人物のスマートウォッチディスプレイに表示されることを希望してもよい。そのようにすることで、ユーザは、ユーザ自身のコンピュータ装置にアクセスしたり又はそれを観察しなくても、他の人物への混乱を最小限にしてテキストメッセージのコンテンツを見ることが可能になる。
【００１１】
例示の実施形態では、センサは、日和見ディスプレイ装置を検出して、プロセッサに信号を送信する。プロセッサは、信号に基づいて日和見ディスプレイ装置の可用性及び場所を検出する。日和見ディスプレイ装置の可用性は、日和見ディスプレイ装置がユーザにコンテンツを表示するために利用可能であること及び／又はユーザにコンテンツを表示していることを示してもよい。このような実施形態では、プロセッサは、日和見ディスプレイ装置によって出力されるために、コンテンツを含むデータを日和見ディスプレイ装置に送信するように構成され得る。例示の実施形態では、プロセッサは、日和見ディスプレイ装置の可用性に少なくとも部分的に基づく第１の触覚効果及び日和見ディスプレイ装置の場所に少なくとも部分的に基づく第２の触覚効果を決定するように構成される。こうした触覚信号は、単一の合成触覚効果を形成するために結合されてもよい。
【００１２】
例示の実施形態では、プロセッサは、第１の触覚効果に関係付けられる第１の触覚信号及び第２の触覚効果に関係付けられる第２の触覚信号を触覚出力装置に送信するように構成される。触覚出力装置は、日和見ディスプレイ装置の可用性に関係付けられる１つ以上の第１の触覚効果（例えば、テクスチャ、振動、ストロークの感覚、及び／又は突き刺すような感覚）を出力するように構成される。例示の実施形態では、１つ以上の第１の触覚効果は、日和見ディスプレイ装置が利用可能であること（例えば、ユーザに関連し得るプロセッサから受信したコンテンツを表示していること）をコンピュータ装置のユーザに示すことができる。
【００１３】
また、例示の実施形態では、触覚出力装置は、日和見ディスプレイ装置の場所に関係付けられる１つ以上の第２の触覚効果を出力するように構成される。このような実施形態では、１つ以上の第２の触覚効果は、日和見ディスプレイ装置の場所（例えば、日和見ディスプレイ装置に表示されているコンテンツを観察するためにどこを見るべきか）をコンピュータ装置のユーザに示す。このようにして、第１及び第２の触覚効果は、日和見ディスプレイ装置に表示されるコンテンツを観察するためにいつどこを見るべきかをコンピュータ装置のユーザに示す。
【００１４】
例示の実施形態では、日和見ディスプレイ装置は、センサ、メモリ、触覚出力装置、及びこうした要素の各々と通信するプロセッサを備えてもよい。このような実施形態では、センサは、コンピュータ装置のユーザの視野又はユーザの視線の方向を検出してもよい。例えば、日和見ディスプレイは、ビデオスクリーンに対して通過するユーザの視野を検出するための埋め込み又は近接センサを有するビデオスクリーンを備えてもよい。センサは、プロセッサに信号を送信してもよく、プロセッサは、コンピュータ装置のユーザの視野の方向に基づく触覚信号を触覚出力装置に送信する。触覚出力装置は、プロセッサから触覚信号を受信して、コンピュータ装置のユーザの視野に関係付けられる１つ以上の触覚効果を出力するように構成される。例示の実施形態では、触覚出力効果は、コンピュータ装置のユーザが日和見ディスプレイ装置を見ていることを日和見ディスプレイ装置に関係付けられる別のユーザ（例えば、日和見ディスプレイ装置として使用されているスマートウォッチを装着しているユーザ）に示し得る。
【００１５】
こうした例示は、本明細書で検討される一般的な主題を読者に紹介するために与えられており、本開示の概念をこの例示に限定することを意図していない。以下の節には、図面を参照して様々な追加の特徴及び例が記載されている。図面において、同じ数字は同じ要素を示しており、方向の記載は、例示を記載しているのであって、例示のように、本開示を限定するために使用されるべきではない。
【００１６】
［日和見ディスプレイ用の触覚フィードバックの例示のシステム］
図１は、一実施形態による日和見ディスプレイ用の触覚フィードバックのためのシステム１００を示すブロック図である。図１に示された実施形態では、システム１００は、バス１０６を介して他のハードウェアと通信するプロセッサ１０２を有するコンピュータ装置１０１を備える。コンピュータ装置１０１は、例えば、移動装置（例えば、スマートフォン）、タブレット、Ｅリーダ、スマートウォッチ、ヘッドマウント型ディスプレイ、メガネ、装着可能装置等を含んでもよい。
【００１７】
ＲＡＭ、ＲＯＭ又はＥＥＰＲＯＭ等の任意の適切な有形の（及び非一時的な）コンピュータ可読媒体を含み得るメモリ１０４が、コンピュータ装置１０１の動作を構成するプログラムコンポーネントを具現化する。図示の実施形態では、コンピュータ装置１０１は、１つ以上のネットワークインターフェース装置１１０、入力／出力（Ｉ／Ｏ）インターフェース要素１１２、及び記憶装置１１４を更に含む。  
ネットワーク装置１１０は、ネットワーク接続を容易にする１つ以上の任意の構成要素を表し得る。限定されないが、例示には、Ｅｔｈｅｒｎｅｔ（登録商標）、ＵＳＢ、ＩＥＥＥ１３９４等の有線インターフェース、及び／又はＩＥＥＥ８０２．１１、Ｂｌｕｅｔｏｏｔｈ（登録商標）等の無線インターフェース、又は携帯電話ネットワークにアクセスするための無線インターフェース（例えば、ＣＤＭＡ、ＧＳＭ（登録商標）、ＵＭＴＳ又は他の移動通信ネットワーク）が含まれる。
【００１８】
Ｉ／Ｏコンポーネント１１２は、１つ以上のディスプレイ１３４、ゲームコントローラ、キーボード、マウス、ジョイスティック、カメラ、ボタン、スピーカ、マイクロホン、及び／又はデータの入力若しくは出力に使用される他のハードウェア等の装置への有線又は無線接続を容易にするために使用されてもよい。記憶装置１１４は、コンピュータ装置１０１に含まれ又はプロセッサ１０２に結合される磁気、光学、又は他の記憶媒体等の不揮発性記憶装置を表す。
【００１９】
一部の実施形態では、コンピュータ装置１０１は、タッチセンサ面１１６を有する。タッチセンサ面１１６は、ユーザの触覚入力を感知するように構成される任意の表面を表す。１つ以上のタッチセンサ１０８は、（例えば、物体がタッチセンサ面１１６に接触する場合に）接触領域における接触を検出して、プロセッサ１０２に接触に関係付けられる信号を送信するように構成される。任意の適切な数、種類、又は配置のタッチセンサ１０８が使用され得る。例えば、抵抗性及び／又は容量性のセンサが、タッチセンサ面１１６に組み込まれて、タッチの場所及び圧力、速さ、及び／又は方向等の他の情報を検出するために使用されてもよい。
【００２０】
タッチセンサ１０８は、追加的に又は代替的に、他のタイプのセンサを含み得る。例えば、タッチ位置を決定するために、タッチセンサ面１１６のビューを備える光学センサが使用されてもよい。別の例示として、タッチセンサ１０８は、ディスプレイの側部に取り付けられるＬＥＤ（Ｌｉｇｈｔ  Ｅｍｉｔｔｉｎｇ  Ｄｉｏｄｅ）指検出器を含んでもよい。一部の実施形態では、タッチセンサ１０８は、ユーザ相互作用の複数の態様を検出するように構成されてもよい。例えば、タッチセンサ１０８は、ユーザ相互作用の速さ、圧力及び方向を検出して、この情報をプロセッサ１０２に送信される信号に組み込んでもよい。
【００２１】
一部の実施形態では、コンピュータ装置１０１は、コンピュータ装置１０１のタッチセンサ面１１６及びディスプレイ１３４を組み合わせたタッチ可能ディスプレイを備える。タッチセンサ面１１６は、ディスプレイ１３４の外部又はディスプレイ１３４のコンポーネントの上の１つ以上の材料層に対応してもよい。他の実施形態では、コンピュータ装置１０１は、コンピュータ装置１０１とインターフェース接続されたシステム１１に含まれるディスプレイ１３４に設けられるグラフィカルユーザインターフェースにマッピングされ得るタッチセンサ面１１６を備える。
【００２２】
一部の実施形態では、コンピュータ装置１０１は、カメラ１３０を備える。カメラ１３０は図１においてコンピュータ装置１０１の内部に有るように描かれているが、一部の実施形態では、カメラ１３０はコンピュータ装置１０１の外部に有って通信してもよい。例えば、カメラ１３０は、コンピュータ装置１０１の外部に有り、Ｅｔｈｅｒｎｅｔ、ＵＳＢ、ＩＥＥＥ１３９４等の有線インターフェース、及び／又はＩＥＥＥ８０２．１１、ブルートゥース（登録商標）、又はラジオインターフェース等の無線インターフェースを介してコンピュータ装置１０１と通信してもよい。
【００２３】
一部の実施形態では、コンピュータ装置１０１は１つ以上のセンサ１３２を備える。一部の実施形態では、センサ１３２は、例えば、ジャイロスコープ、加速度計、グローバルポジショニングシステム（ＧＰＳ）ユニット、距離センサ、深度センサ、ブルートゥース装置、カメラ、赤外線センサ、ＱＲ（ｑｕｉｃｋ  ｒｅｓｐｏｎｓｅ）コードセンサ等を含んでもよい。一部の実施形態では、センサ１３２は、例えば、装置を識別し得る装着式カメラ（例えば、Ｇｏｏｇｌｅ  Ｇｌａｓｓ）を含むカメラを含んでもよい。一部の実施形態では、コンピュータ装置１０１は、ウェアラブル装置（例えば、メガネ）を含んでもよく、センサ１３２は、コンピュータ装置１０１のユーザの凝視、視線又は視野を検出する任意の装置を含んでもよい。一部の実施形態では、センサ１３２は、コンピュータ装置１０１の外部に有り、コンピュータ装置と有線又は無線で通信する。
【００２４】
一部の実施形態では、センサ１３２は、センサ１３２、コンピュータ装置１０１又はコンピュータ装置１０１のユーザに近接している日和見ディスプレイ装置（例えば、ディスプレイ装置１３６、又は別のコンピュータ装置）の可用性、存在又は場所を検出してもよい。例えば、センサ１３２は、センサ１３２とディスプレイ装置との間の信号強度を分析することにより、別のブルートゥース装置（例えば、ブルートゥースディスプレイ装置）又はネットワーク装置の存在及び場所を検出するように構成されるブルートゥース装置又は他のネットワーク装置であってもよい。一部の実施形態では、センサ１３２は、（例えば、センサ１３２とディスプレイ装置との間のブルートゥース信号の強度に基づいて）センサ１３２、コンピュータ装置１０１又はコンピュータ装置１０１のユーザとディスプレイ装置との間の距離を検出してもよい。別の例示として、センサ１３２は、室内測位技術を使用してディスプレイ装置の可用性、存在又は場所を決定してもよい。更に別の例では、センサ１３２は、センサ１３２、コンピュータ装置１０１又はコンピュータ装置１０１のユーザの位置又は場所に関するデータをサーバ又は他の装置に送信してもよい。それに応じて、サーバ又は他の装置は、センサ１３２によって送信されたデータに基づいてセンサ１３２又はコンピュータ装置１０１に近い他の装置（例えば、ディスプレイ装置１３６）の位置、場所又は可用性に関するデータを送信してもよい。
【００２５】
一部の実施形態では、センサ１３２は、センサ１３２の近くの装置に関する他のデータを検出してもよい。例えば、センサ１３２は、センサ１３２の近くの装置（例えば、ディスプレイ装置１３６）のタイプ、サイズ、形状等を検出してもよい。
【００２６】
一部の実施形態では、プロセッサ１０２は単一のセンサ１３２と通信し、他の実施形態では、プロセッサ１０２は複数のセンサ１３２、例えば、ジャイロスコープ、加速度計及びブルートゥース装置と通信してもよい。センサ１３２は、プロセッサ１０２にセンサ信号を送信するように構成される。
【００２７】
一部の実施形態では、システム１００は、プロセッサ１０２と通信する触覚出力装置１１８を更に含む。触覚出力装置１１８は、触覚信号に応答して触覚効果を出力するように構成される。例えば、触覚出力装置１１８は、プロセッサ１０２からの触覚信号に応じて触覚効果を出力し得る。一部の実施形態では、触覚出力装置１１８は、例えば、振動、絞り、突き、知覚される摩擦係数の変化、疑似テクスチャ、ストロークの感覚、電気触知効果、又は表面変形（例えば、コンピュータ装置１０１に関係付けられる表面の変形）、及び／又は固体、液体若しくは気体の吹き出しを含む触覚効果を出力するように構成される。更に、一部の触覚効果は、同じ又は異なるタイプの複数の触覚出力装置１１８を順番に及び／又は同時に使用してもよい。図１には単一の触覚出力装置１１８が示されているが、一部の実施形態では、触覚効果を生ずるために同じ又は異なるタイプの複数の触覚出力装置１１８が使用されてもよい。
【００２８】
一部の実施形態では、触覚出力装置１１８は、プロセッサ１０２と通信し、コンピュータ装置１０１の内部に有る。他の実施形態では、触覚出力装置１１８は、コンピュータ装置１０１の外部に有り、（例えば、イーサネット（登録商標）、ＵＳＢ、ＩＥＥＥ１３９４等の有線インターフェース、及び／又はＩＥＥＥ８０２．１１、ブルートゥース、又はラジオインターフェース等の無線インターフェースを介して）コンピュータ装置１０１と通信してもよい。例えば、触覚出力装置１１８は、ウェアラブル装置（例えば、リストバンド、ブレスレット、帽子、ヘッドバンド等）に関係付けられ（例えば、結合され）、プロセッサ１０２から触覚信号を受信するように構成されてもよい。
【００２９】
一部の実施形態では、触覚出力装置１１８は、振動を含む触覚効果を出力するように構成される。触覚出力装置１１８は、例えば、圧電アクチュエータ、電気モータ、電磁アクチュエータ、音声コイル、形状記憶合金、電気活性ポリマー、ソレノイド、偏心回転質量モータ（ＥＲＭ）又は線形共振アクチュエータ（ＬＲＡ）の１つ以上を含んでもよい。
【００３０】
一部の実施形態では、触覚出力装置１１８は、触覚出力装置１１８に関係付けられる表面の知覚される摩擦係数を変調する触覚効果を出力するように構成されてもよい。一部の実施形態では、触覚出力装置１１８は、超音波アクチュエータを含む。超音波アクチュエータは、所定の超音波周波数、例えば、２０ｋＨｚで振動して、触覚出力装置１１８に関係付けられる表面において知覚される係数を増加又は減少させてもよい。一部の実施形態では、超音波アクチュエータは、圧電材料を含んでもよい。
【００３１】
一部の実施形態では、触覚出力装置１１８は、静電気引力を使用して、例えば、静電アクチュエータを使用することによって、触覚効果を出力する。触覚効果は、シミュレートされるテクスチャ、シミュレートされる振動、ストロークの感覚、又はコンピュータ装置１０１に関係付けられる表面（タッチセンサ面１１６）における知覚される摩擦係数の変化を含んでもよい。一部の実施形態では、静電アクチュエータは、導電レイヤ及び絶縁レイヤを含んでもよい。導電レイヤは、任意の半導体又は銅、アルミニウム、金又は銀等の他の導電性材料であってもよい。絶縁レイヤは、ガラス、プラスチック、ポリマー、又は任意の他の絶縁性材料であってもよい。更に、プロセッサ１０２は、導電レイヤに電気信号、例えば、ＡＣ信号を加えることによって静電アクチュエータを動作させてもよい。一部の実施形態では、高電圧増幅器がＡＣ信号を生成してもよい。電気信号は、導電レイヤとタッチセンサ面１１６に近接する又は接触するオブジェクト（例えば、ユーザの指又は体の他の部分、又はスタイラス）との間に容量結合を生成してもよい。オブジェクトと導電レイヤとの間の引力レベルの変化は、ユーザによって知覚される触覚効果を変化させることができる。
【００３２】
一部の実施形態では、触覚出力装置１１８は、変形触覚効果を出力するように構成される変形装置を含む。変形触覚効果は、コンピュータ装置１０１に関係付けられる表面の部分を隆起又は下降させることを含んでもよい。例えば、変形触覚効果は、タッチセンサ面１１６の部分を隆起させることを含んでもよい。一部の実施形態では、変形触覚効果は、コンピュータ装置１０１に関係付けられる表面を折り曲げ、折り畳み、丸め、捻り、絞り、屈曲させ、形状変化させ、又はそれ以外の変形をさせることを含んでもよい。例えば、変形触覚効果は、コンピュータ装置１０１又はコンピュータ装置１０１に関係付けられる表面（例えば、タッチセンサ面１１６）に力を加えて、それを折り曲げ、折り畳み、丸め、捻り、絞り、屈曲し、形状変化し、又はそれ以外の変形をすることを引き起こしてもよい。
【００３３】
一部の実施形態では、触覚出力装置１１８は、（例えば、コンピュータ装置１０１に関係付けられる表面を折り曲げ又は変形させるために）変形触覚効果を出力するように構成される流体を含む。例えば、流体はスマートゲルを含んでもよい。スマートゲルは、１つ又は複数の刺激（例えば、電界、磁界、温度、紫外線、振動、又はｐＨ変化）に応じて変化する機械又は構造的特性を有する流体を含む。例えば、刺激に応じて、スマートゲルは、剛性、容量、透明性、及び／又は色を変化させてもよい。一部の実施形態では、剛性は、変形に対するコンピュータ装置１０１（例えば、タッチセンサ面１１６）に関係付けられる表面の抵抗を含んでもよい。一部の実施形態では、１つ以上のワイヤがスマートゲルに組み込まれ又は結合されてもよい。電流がワイヤを流れるので、熱が放射されて、スマートゲルを拡張又は収縮させることで、コンピュータ装置１０１又はコンピュータ装置１０１に関係付けられる表面を変形させてもよい。
【００３４】
別の例示として、流体は、レオロジー流体（例えば、磁性流体又は電気流体）を含んでもよい。レオロジー流体は、液体（例えば、油又は水）中に懸濁している金属粒子（例えば、鉄粒子）を含む。電界又は磁界に応じて、流体中の分子の秩序が再編成されて、それにより流体の全体的な制動及び／又は粘度が変更されてもよい。これがコンピュータ装置１０１又はコンピュータ装置１０１に関係付けられる表面を変形させてもよい。
【００３５】
一部の実施形態では、触覚出力装置１１８は、機械変形装置を含む。例えば、一部の実施形態では、触覚出力装置１１８は、変形コンポーネントを回転させるアームに結合されるアクチュエータを含んでもよい。変形コンポーネントは、例えば、楕円形、星形、又は波形形状を含んでもよい。変形コンポーネントは、所定の回転角度でコンピュータ装置１０１に関係付けられる表面を動かし、それ以外では動かさないように構成されてもよい。アクチュエータは、圧電アクチュエータ、回転／線形アクチュエータ、ソレノイド、電気活性ポリマアクチュエータ、ＭＦＣ（ｍａｃｒｏ  ｆｉｂｅｒ  ｃｏｍｐｏｓｉｔｅ）アクチュエータ、形状記憶合金（ＳＭＡ）アクチュエータ、及び／又は他のアクチュエータを含んでもよい。アクチュエータが変形コンポーネントを回転させると、変形コンポーネントは表面を動かして、それにより変形を引き起こしてもよい。このような実施形態では、変形コンポーネントは、表面が平坦になる位置で開始してもよい。プロセッサ１０２から信号を受信することに応じて、アクチュエータは変形コンポーネントを回転させてもよい。変形コンポーネントを回転させることによって、表面の１つ以上の部分が隆起させられ又は下降させられてもよい。一部の実施形態では、変形コンポーネントは、元の位置に戻るように変形コンポーネントを回転させるようにプロセッサ１０２がアクチュエータに信号を送るまで、この回転した状態で維持されてもよい。
【００３６】
更に、コンピュータ装置１０１に関係付けられる表面を変形させるための他の技術又は方法が用いられ得る。例えば、触覚出力装置１１８は、表面再構成可能な触覚基板（限定されないが、例えば、繊維、ナノチューブ、電気活性ポリマー、圧電要素、又は形状記憶合金を含む）からの接触に基づいて、その表面を変形させ又はそのテクスチャを変化させるように構成される可撓性表面レイヤを含んでもよい。一部の実施形態では、触覚出力装置１１８は、例えば、変形機構（例えば、ワイヤに結合されるモータ）、空気若しくは流体ポケット、材料の局部変形、共振機械要素、圧電性材料、微小電気機械システム（“ＭＥＭＳ”）要素又はポンプ、熱流体ポケット、ＭＥＭＳポンプ、可変多孔性膜（ｖａｒｉａｂｌｅ  ｐｏｒｏｓｉｔｙ  ｍｅｍｂｒａｎｅｓ）、又は層流変調により変形させられる。
【００３７】
メモリ１０４に関しては、モジュール１２４、１２６及び１２８、１２９は、日和見ディスプレイ用の触覚フィードバックを提供するために一部の実施形態では、装置がどのように構成され得るかを示すように描かれている。
【００３８】
この例示では、検出モジュール１２４が、タッチの位置を決定するためにタッチセンサ１０８を介してタッチセンサ面１１６を監視するようにプロセッサ１０２を構成する。例えば、検出モジュール１２４は、タッチの存在又は不存在を追跡して、タッチが存在する場合、場所、経路、速度、加速度、圧力及び／又は経時的なタッチの他の特性を追跡するためにセンサ１０８をサンプリングしてもよい。
【００３９】
一部の実施形態では、コンテンツ提供モジュール１２９は、コンテンツ（例えば、テキスト、画像、音声、映像等）をユーザ（例えば、コンピュータ装置１０１のユーザ又は別のユーザ）に提供するようにプロセッサ１０２を構成する。例えば、コンテンツ提供モジュール１２９は、ユーザに任意のフォーマットで（例えば、アニメーション画像交換フォーマットで）画像を提供するようにプロセッサ１０２を構成する。コンテンツがコンピュータ生成画像を含む場合、コンテンツ提供モジュール１２９は、ディスプレイ装置上のディスプレイ（例えば、コンピュータ装置のディスプレイ１３４、ディスプレイ装置１３６、又はプロセッサ１０２に通信可能に結合される別のディスプレイ）に対して画像を生成するように構成される。コンテンツが映像及び／又は静止画像を含む場合、コンテンツ提供モジュール１２９は、映像及び／又は静止画像にアクセスして、ディスプレイ装置のディスプレイに対して映像及び／又は静止画像のビューを生成するように構成される。コンテンツがオーディオコンテンツを含む場合、コンテンツ提供モジュール１２９は、ディスプレイ装置の一部であり得るスピーカを駆動して対応する音声を出力する電気信号を生成するように構成される。一部の実施形態では、コンテンツ、又はコンテンツが伝達される情報は、図１に示されるように、コンピュータ装置１０１の一部であり得る記憶装置１１４からコンテンツ提供モジュール１２９によって取得されてもよく、又はコンピュータ装置１０１から分離してコンピュータ装置１０１に通信可能に結合されてもよい。一部の実施形態では、コンテンツ提供モジュール１２９は、プロセッサ１０２にコンテンツを別の装置へと送信させ得る。例えば、コンテンツ提供モジュール１２９は、コンテンツを生成するか又はそれにアクセスして、プロセッサにコンテンツをディスプレイ装置１３６へと送信させ得る。
【００４０】
一部の実施形態では、触覚効果決定モジュール１２６は、生成するべき触覚効果を決定するためにデータを分析するプログラムコンポーネントを表す。触覚効果決定モジュール１２６は、１つ以上のアルゴリズム又はルックアップテーブルを使用して出力する１つ以上の触覚効果を選択するコードを含んでもよい。一部の実施形態では、触覚効果決定モジュール１２６は、触覚効果を決定するためにプロセッサ１０２によって使用可能な１つ以上のアルゴリズム又はルックアップテーブルを含む。
【００４１】
特に、一部の実施形態では、触覚効果決定モジュール１２６は、センサ１３２から受信したセンサ信号に少なくとも部分的に基づいて触覚効果を決定してもよい。例えば、プロセッサ１０２は、センサ１３２からセンサ信号を受信して、コンピュータ装置１０１の近くのディスプレイ装置（例えば、ディスプレイ装置１３６）の可用性を決定してもよい。触覚効果決定モジュール１２６は、ディスプレイ装置の決定された可用性に少なくとも部分的に基づいて第１の触覚効果を決定してもよい。例えば、このような実施形態では、触覚効果決定モジュール１２６は、ディスプレイ装置が利用可能であること（例えば、ユーザに関連し得るコンテンツを表示していること）をユーザに示すためにコンピュータ装置１０１に関係付けられるユーザ（例えば、コンピュータ装置を装着しているユーザ）に出力される第１の触覚効果を決定してもよい。
【００４２】
例えば、ディスプレイ装置１３６はコンピュータ装置１０１に近くてもよく、センサ１３２は（例えば、センサ１３２とディスプレイ装置１３６との間のブルートゥースの強度に基づいて）ディスプレイ装置１３６を検出することができる。コンピュータ装置１０１は、センサ１３２から信号を受信して、ディスプレイ装置１３６が利用可能であること（例えば、ディスプレイ装置１３６が発見可能であり、コンピュータ装置１０１からコンテンツを受信するために、ブルートゥースを介してコンピュータ装置１０１に接続するために利用可能であること）を決定し得る。触覚効果決定モジュール１２６は、ディスプレイ装置１３６が近くに有り且つディスプレイ装置１３６によって表示されるようにブルートゥースを介してコンピュータ装置１０１からコンテンツを受信していることをユーザに示すために出力される振動又は一連の振動を決定してもよい。
【００４３】
一部の実施形態では、プロセッサ１０２は、センサ１３２からセンサ信号を受信して、ディスプレイ装置の場所又は位置を決定してもよい。このような実施形態では、プロセッサ１０２は、センサ１３２、コンピュータ装置１０１、又はコンピュータ装置１０１若しくはセンサ１３２に関係付けられるユーザと、ディスプレイ装置１３６との間の距離を決定してもよい。触覚効果決定モジュール１２６は、ディスプレイ装置の決定された場所又は位置に少なくとも部分的に基づいて第２の触覚効果を決定してもよい。第２の触覚効果は、ディスプレイ装置１３６の場所又は位置を示し得る１つ以上の触覚効果を含んでもよい。一部の実施形態では、触覚効果決定モジュール１２６は、ディスプレイ装置１３６の場所又は位置に基づいて触覚効果の特性（例えば、振幅、持続時間、場所、タイプ、周波数等）を決定してもよい。例えば、このような実施形態では、触覚効果決定モジュール１２６は、ユーザに対してディスプレイ装置１３６の場所（例えば、垂直又は水平位置）をユーザに示すためにコンピュータ装置１０１のユーザに出力される第２の触覚効果を決定してもよい。
【００４４】
例えば、触覚効果決定モジュール１２６は、ディスプレイ装置１３６がユーザの左に位置している場合の触覚効果、及びディスプレイ装置１３６がユーザの正面に有る場合の別の触覚効果、及びディスプレイ装置１３６がユーザの上に有る場合の更に別の触覚効果を決定してもよい。別の例示として、触覚効果決定モジュール１２６は、ユーザがディスプレイ装置１３６から離れている場合の弱い若しくは短い触覚効果、又はユーザがディスプレイ装置１３６に近い場合の強い若しくは長い触覚効果を決定してもよい。
【００４５】
一部の実施形態では、触覚効果決定モジュール１２６は、ユーザに対するディスプレイ装置１３６の場所をユーザに示すために逐次触覚フィードバックを決定してもよい。このような実施形態では、触覚効果決定モジュール１２６は、ユーザに対するディスプレイ装置１３６の方向を示し得る、（例えば、ユーザの腕に沿って一連の触覚出力を決定することにより）所定の方向に向かう流れの認知を生成し得る１つ以上の触覚効果を決定してもよい。
【００４６】
一部の実施形態では、コンピュータ装置１０１は、コンピュータ装置１０１のユーザに対する装置（例えば、ディスプレイ装置１３６）の場所に関係付けられる様々な出力効果を提供するための１つ以上の触覚出力装置１１８を含んでもよい。
【００４７】
一部の実施形態では、プロセッサ１０２は、センサ１３２からセンサ信号を受信して、ディスプレイ装置のサイズ、タイプ、形状、又は他の属性を決定してもよい。このような実施形態では、触覚効果決定モジュール１２６は、ディスプレイ装置のサイズ、タイプ、形状、又は他の属性を示すための１つ以上の触覚効果を決定してもよい。例えば、触覚効果は、ディスプレイ装置のサイズに基づいて選択されてもよい（例えば、ディスプレイ装置が大きい場合、例えば、大型ＬＣＤスクリーンである場合に強い振動、及びディスプレイ装置が小さい場合、例えば、スマートウォッチである場合に弱い振動）。
【００４８】
別の実施形態では、触覚効果決定モジュール１２６は、コンテンツ提供モジュール１２９によって提供されるコンテンツに基づいて触覚効果を決定するコードを含んでもよい。例えば、コンテンツ提供モジュール１２９は、ディスプレイ装置１３６に出力される視覚コンテンツを提供してもよい。一部の実施形態では、触覚効果決定モジュール１２６は、視覚コンテンツに関係付けられる触覚効果を決定してもよい。例えば、このような実施形態では、触覚効果決定モジュール１２６は、ディスプレイ装置１３６によって提供される映像に関係付けられる触覚トラックを提供するための触覚効果を決定してもよい。触覚トラックは、提供されている映像の中で発生するイベントに対応する触覚効果（例えば、振動）又は一連の触覚効果を含み得る。例えば、映像が一連の爆発を含む場合、触覚トラックは、各爆発に対応する一連の振動であり得る。従って、ユーザが映像を観るとき、ユーザは映像に関係付けられる触覚効果を知覚し得る。
【００４９】
一部の実施形態では、触覚効果決定モジュール１２６は、タッチセンサ面１１６におけるタッチの場所に基づいて、出力する触覚効果を決定するコード、及び効果をシミュレートするために提供する１つ以上の触覚効果を選択するコードを含んでもよい。例えば、ディスプレイ１３４における仮想オブジェクト（例えば、仮想家具、自動車、動物、漫画キャラクタ、ボタン、レバー、ロゴ、又は人物）の存在をシミュレートするためにタッチの場所に基づいて異なる触覚効果が選択されてもよい。更に、一部の実施形態では、触覚効果決定モジュール１２６は、仮想オブジェクトの大きさ、色、場所、動き、及び／又は他の特徴に基づいて、出力するべき触覚効果を決定するコード、及び効果をシミュレートするために提供するべき１つ以上の触覚効果を選択するコードを含んでもよい。例えば、触覚効果は、仮想オブジェクトの色に基づいて選択されてもよい（例えば、仮想オブジェクトが赤である場合に強い振動、及び仮想オブジェクトが緑である場合に弱い振動）。
【００５０】
一部の実施形態では、触覚効果決定モジュール１２６は、イベントに基づいて触覚効果を決定するコードを含む。本明細書で使用されるイベントは、関連する触覚効果を含む可能性があるコンピュータ装置１０１の動作の間に発生する任意の相互作用、アクション、衝突、又は他のイベントである。一部の実施形態では、イベントは、ユーザ入力（例えば、ボタン押し下げ、ジョイスティックを操作すること、タッチセンサ面１１６と相互作用すること、又は装置を傾け若しくは方向付けること）、システム状態（例えば、バッテリ低下、メモリ不足、又はシステムがメッセージ、着信電話呼び出し、通知又は更新を受信することに基づいて生成される通知等のシステム通知）、送信データ、受信データ、又はプログラムイベントを含んでもよい（例えば、プログラムがゲームであれば、プログラムイベントは爆発、銃撃、衝突、ゲームキャラクタ間の相互作用、又は新たなレベルに進むこと、又は凹凸のある地形を運転することを含んでもよい）。
【００５１】
一部の実施形態では、触覚効果生成モジュール１２８は、選択された触覚効果を生成するためにプロセッサ１０２に触覚信号を生成させて触覚出力装置１１８へと送信させるプログラミングを表す。一部の例では、触覚効果生成モジュール１２８は、触覚効果決定モジュール１２６によって決定される触覚効果を触覚出力装置１１８に生成させる。例えば、触覚効果生成モジュール１２８は、選択された触覚効果を生成するために、記憶された波形又はコマンドにアクセスして、触覚出力装置１１８に送信してもよい。一部の実施形態では、触覚効果生成モジュール１２８は、触覚信号を決定するためのアルゴリズムを含んでもよい。触覚効果生成モジュール１２８は、触覚効果に対する目標座標（例えば、触覚効果を出力するタッチセンサ面１１６等のコンピュータ装置１０１上の場所に対する座標）を決定するためのアルゴリズムを含んでもよい。
【００５２】
一部の実施形態では、ディスプレイ装置１３６は、プロセッサ１３８、メモリ１４０、バス１４２、Ｉ／Ｏコンポーネント１４４、記憶装置１４６、ネットワークインターフェース装置１４８、ディスプレイ１５０、タッチセンサ面１５２、タッチセンサ１５４、カメラ１５６、センサ１５８、及び触覚出力装置１６０を含む。これらの各々は、コンピュータ装置１０１のメモリ１０４、プロセッサ１０２、バス１０６、Ｉ／Ｏコンポーネント１１２、記憶装置１１４、ネットワークインターフェース装置１１０、ディスプレイ１３４、タッチセンサ面１１６、タッチセンサ１０８、カメラ１３０、センサ１３２、及び触覚出力装置１１８と実質的に同様に構成され得るが、そうでなくてもよい。一部の実施形態では、ディスプレイ装置１３６は、図１に記載の全ての又は一部のコンポーネントを含んでもよい。
【００５３】
一部の実施形態では、ディスプレイ装置１３６は、例えば、移動装置（例えば、スマートフォン）、タブレット、Ｅリーダ、スマートウォッチ、ヘッドマウント型ディスプレイ、メガネ、ウェアラブル装置、対話型キオスク、キャッシュレジスタのスクリーン、又はコンテンツを提供するためのディスプレイを含む任意の他の装置を含む。
【００５４】
コンピュータ装置１０１は、ディスプレイ装置１３６に通信可能に結合されてもよい。例えば、コンピュータ装置１０１及びディスプレイ装置１３６は、ネットワークインターフェース装置１１０及び１４８を使用して通信し得る（例えば、データ又は信号１７２、１７４を送信又は受信する）。例えば、コンピュータ装置１０１及びディスプレイ装置１３６の各々は、共通の無線ネットワークに接続されてもよく、無線ネットワークを介して通信することができる。別の例示として、コンピュータ装置１０１及びディスプレイ装置１３６は、ブルートゥース接続を介して通信可能に結合され得る。
【００５５】
一部の実施形態では、ディスプレイ装置１３６は、日和見ディスプレイ装置であってもよい。例えば、ディスプレイ装置１３６は、ユーザにコンテンツを提供するために使用できるように、コンピュータ装置１０１のユーザの近く及びユーザの視野内に有るディスプレイ装置であり得る。
【００５６】
一部の実施形態では、ディスプレイ装置１３６のセンサ１５８は、別の装置（例えば、コンピュータ装置１０１）の存在又は場所を検出してもよい。例えば、センサ１５８は、別の装置の存在又は場所を検出するためのセンサ１３２と実質的に同様に構成されてもよい。
【００５７】
一部の実施形態では、センサ１５８は、コンピュータ装置１０１のユーザの視野の方向を検出してもよい。例えば、センサは、ユーザの凝視、視線又は視野を検出するために使用される任意の装置を含んでもよい。例えば、センサ１５８は、コンピュータ装置１０１のユーザの目の画像をキャプチャするように構成されるカメラを含んでもよく、プロセッサ１３８は、様々な画像処理法及び技術を使用することにより画像に少なくとも部分的に基づいてコンピュータ装置１０１のユーザの視野の方向を決定し得る。別の実施形態では、センサ１５８は、コンピュータ装置１０１のユーザの目又はユーザの目の近くの筋肉の動きを監視するように構成され、プロセッサ１３８は、監視された動きに少なくとも部分的に基づいてユーザの視野の方向を決定するように構成される。更に別の実施形態では、センサ１５８は、コンピュータ装置１０１のユーザの目を動かす筋肉の電気的活動を監視又は測定するように構成されてもよく、プロセッサ１３８は、ユーザの視野の方向を決定するように構成され得る。一部の実施形態では、センサ１５８は、例えば、機能的磁気共鳴画像法（ｆＭＲＩ）又は脳電図（ＥＥＧ）に関係付けられるセンサを含む、ユーザの意図又は意思を決定するために使用される他のセンサを含んでもよい。更に別の実施形態では、センサ１５８は、例えば、ユーザの体又は頭位を分析することを含む、様々な方法及び技術を介してユーザの凝視、視線又は視野を検出してもよい。
【００５８】
一部の実施形態では、メモリ１４０は、モジュール１６２、１６４、１６８、１７０を含む。一部の実施形態では、メモリ１４０は、モジュール１６２、１６４、１６８、１７０の全て又は一部を含む。モジュール１６２、１６４、１６８、１７０の各々は、コンピュータ装置１０１の各モジュール１２４、１２６、１２８及び１２９と実質的に同様に構成され得る。
【００５９】
一部の実施形態では、触覚効果決定モジュール１６４は、センサ１５８から受信したセンサ信号に少なくとも部分的に基づいて触覚効果を決定してもよい。一部の実施形態では、プロセッサ１３８は、センサ１５８からセンサ信号を受信して、コンピュータ装置１０１のユーザの視線又は視野の方向を決定してもよい。この決定に基づいて、触覚効果決定モジュール１６４は、触覚効果を決定してもよい。例えば、このような実施形態では、プロセッサ１３８は、コンピュータ装置１０１のユーザがディスプレイ装置１３６（例えば、ディスプレイ装置のディスプレイ１５０）を見ていること又はその方向を見ていることを決定してもよい。この決定に基づいて、触覚効果決定モジュール１２６は、コンピュータ装置１０１のユーザがディスプレイ装置１３６を見ていることを示すためにディスプレイ装置１３６のユーザに出力される触覚効果を決定してもよい。例えば、スマートウォッチは、別のユーザがディスプレイ装置１３６を観察していることを示すために短く振動してもよい。このようにして、ディスプレイ装置１３６のユーザは、人物に関連付けられ得るディスプレイ装置上のコンテンツをその人物（例えば、コンピュータ装置１０１のユーザ）が見ている（例えば、読んでいる）ことに気付いてもよい。
【００６０】
一部の実施形態では、触覚効果決定モジュール１２６は、どのようにディスプレイ装置１３６を方向付けるかをディスプレイ装置１３６のユーザに示すためにコンピュータ装置１０１のユーザの視野又は視線の方向に基づいて別の触覚効果を決定してもよい。例えば、触覚効果は、ディスプレイ装置１３６上のコンテンツをコンピュータ装置１０１のユーザが観察することを可能にするために、ユーザが腕、手首、脚又は手を調節するべきであることをディスプレイ装置１３６のユーザに示してもよい。例えば、ユーザの手首に有るスマートウォッチは、ディスプレイの上端が他の人物により視認できるようにユーザがユーザの手首を調節するために別の人物（例えば、コンピュータ装置１０１のユーザ）がスマートウォッチのディスプレイの上端を見ていることをユーザに示すためにスマートウォッチの上端に向かって（例えば、ユーザの手首の上端に向かって）振動してもよい。
【００６１】
一部の実施形態では、コンテンツ提供モジュール１７０は、コンテンツ提供モジュール１２９と実質的に同様に構成されてもよく、ユーザに（例えば、コンピュータ装置１０１のユーザ、ディスプレイ装置１３６のユーザ、又は別のユーザに）コンテンツ（例えば、テキスト、画像、音声、映像、アニメーショングラフィックス等）をプロセッサ１３８に提供させるように構成され得る。一部の実施形態では、コンテンツ、又はコンテンツが導かれる情報は、別の装置（例えば、コンピュータ装置１０１）から取得されてもよい。例えば、コンテンツ提供モジュール１２９は、コンピュータ装置１０１からコンテンツを含むデータをプロセッサに受信させるように構成され得る。コンテンツは、（例えば、ディスプレイ１５０を介して）ディスプレイ装置１３６によって表示されてもよい。
【００６２】
図２は、日和見ディスプレイ用の触覚フィードバックのためのシステムを示す実施形態を示す。システムは、コンピュータ装置１０１及びディスプレイ装置１３６を含む。図２に示された例では、ディスプレイ装置１３６は、日和見ディスプレイ装置である（例えば、ディスプレイ装置１３６は、例えば、ディスプレイ１５０を介してコンテンツを表示するように構成され、コンピュータ装置１０１のユーザ２０４の視野２０８内に有る。
【００６３】
コンピュータ装置１０１は、センサ（例えば、図１のセンサ１３２）を備える。一部の実施形態では、センサは、コンピュータ装置１０１の内部に有るか又はコンピュータ装置の外部に有ってもよい。センサは、コンピュータ装置１０１又はコンピュータ装置１０１に関係付けられるユーザ（例えば、コンピュータ装置１０１を使用又は装着しているユーザ）に近接した装置を検出するように構成されてもよい。
【００６４】
図２に示される実施形態では、センサは、センサ、コンピュータ装置１０１又はユーザ２０４の近くに有るディスプレイ装置１３６を検出してもよい。一部の実施形態では、センサは、ディスプレイ装置１３６を検出して、ディスプレイ装置１３６に関係付けられるセンサ信号をコンピュータ装置１０１に関係付けられるプロセッサ（例えば、図１のプロセッサ１０２）に送信してもよい。センサ信号は、ディスプレイ装置の任意の属性に対応し得る。例えば、センサ信号は、ディスプレイ装置１３６の可用性を示し得る。例えば、ディスプレイ装置１３６は、ディスプレイ１５０を介してコンテンツ（例えば、テキスト、アラート、音声、画像、映像、アニメーショングラフィックス等）を提供又は出力するために利用可能であってもよい。一部の実施形態では、センサ信号は、ディスプレイ装置１３６の場所（例えば、センサ、コンピュータ装置１０１又はユーザ２０４に対するディスプレイ装置の場所又は位置）を示し得る。別の実施形態では、センサ信号は、ディスプレイ装置１３６のタイプ、サイズ又は形状を示し得る。
【００６５】
一部の実施形態では、コンピュータ装置１０１は、センサ信号に少なくとも部分的に基づいて１つ以上の触覚効果を決定して出力してもよい。触覚効果の各々は、振動又は任意の他の触覚効果を含んでもよい。例えば、コンピュータ装置１０１は、センサ信号を受信して、ディスプレイ装置１３６が利用可能であること（例えば、ユーザ２０４の視野２０８の近く又は中に有ること、及び／又はユーザ２０４に関連するコンテンツを表示していること）を決定してもよい。一部の実施形態では、コンテンツは、コンピュータ装置１０１からディスプレイ装置１３６に送信されてもよい。コンピュータ装置１０１は、ディスプレイ装置１３６が利用可能であることをユーザ２０４に示すためにユーザ２０４の体の一部（例えば、腕、脚、手首、手、又は体の他の部分）に触覚効果（例えば、短い振動）を出力してもよい。
【００６６】
一部の実施形態では、コンピュータ装置１０１は、（例えば、ユーザ２０４に対する）ディスプレイ装置の場所又は位置をユーザに示すためにユーザ２０４の体の一部に１つ以上の他の触覚効果を出力してもよい。例えば、一部の実施形態では、コンピュータ装置１０１は、ディスプレイ装置１３６がユーザ２０４に対して上又は下であることをユーザ２０４に示すために触覚効果を出力する。別の例示として、コンピュータ装置１０１は、ディスプレイ装置１３６がユーザ２０４の左又は右に有ることをユーザ２０４に示すために触覚効果を出力する。更に別の例では、コンピュータ装置１０１は、ディスプレイ装置１３６がユーザ２０４の正面又は背後に有ることをユーザ２０４に示すために触覚効果を出力する。
【００６７】
例示として、コンピュータ装置１０１は、ウェアラブル装置（例えば、リストバンド又はヘッドバンド）を含んでもよく、１つ以上の触覚出力装置を含んでもよい。コンピュータ装置１０１は、ディスプレイ装置１３６がユーザの左に有ることをユーザ２０４に示すために、（例えば、ユーザが左の手首にリストバンドを有する場合又は触覚出力装置がユーザ２０４の体の左側に配置されている場合）コンピュータ装置１０１又はユーザ２０４の体の左側に触覚効果を出力するように構成されてもよい。また、コンピュータ装置１０１は、ディスプレイ装置１３６がユーザの正面又は上に有ることをユーザに示すために、コンピュータ装置１０１又はユーザ２０４の体の上部（例えば、ユーザがリストバンドを装着している場合にユーザ２０４の手首の上部）に触覚効果を出力するように構成されてもよい。更に別の実施形態では、コンピュータ装置１０１は、ユーザがディスプレイ装置１３６から離れている場合に弱い触覚効果（例えば、弱い振動）を出力し、ユーザ２０４がディスプレイ装置１３６に近い場合に強い触覚効果（例えば、強い振動）を出力してもよい。
【００６８】
このようにして、コンピュータ装置１０１は、ユーザ２０４がディスプレイ装置１３６上に提供されるコンテンツを観察できるようにディスプレイ装置１３６の水平及び／又は垂直位置をユーザ２０４に示してもよい。このコンテンツは、ユーザ２０４に関連していてもよい（例えば、コンテンツはコンピュータ装置１０１によって提供される）。
【００６９】
別の実施形態では、コンピュータ装置１０１は、ディスプレイ装置１３６又はディスプレイ装置１３６のディスプレイ１５０のサイズ、形状、タイプ又は他の属性を示すためにユーザ２０４に１つ以上の他の触覚効果を出力してもよい。例えば、一部の実施形態では、コンピュータ装置１０１は、センサ信号に少なくとも部分的に基づいてディスプレイ装置１３６又はディスプレイ１５０のサイズを決定して出力してもよい。コンピュータ装置１０１は、ディスプレイ装置１３６のサイズをユーザ２０４に示すために触覚効果を決定して出力してもよい。例えば、コンピュータ装置１０１は、ディスプレイ装置１３６が大きなディスプレイ装置（例えば、大きなＬＥＤスクリーン）である場合、ユーザ２０４に強い振動を出力してもよい。別の例では、コンピュータ装置１０１は、ディスプレイ装置１３６が小さなディスプレイ装置（例えば、スマートウォッチ又はリストバンド）である場合、ユーザ２０４に弱い振動を出力してもよい。このようにして、触覚効果は、ユーザ２０４に関連するコンテンツを表示し得るディスプレイ装置１３６のサイズ又は他の属性をユーザ２０４に示してもよい。
【００７０】
一部の実施形態では、コンピュータ装置１０１は、ディスプレイ装置１３６にコンテンツを提供するように構成されてもよい。例えば、コンピュータ装置１０１はコンテンツを含むデータを送信してもよく、ディスプレイ装置１３６は（例えば、ディスプレイ１５０を介して）コンテンツを表示するように構成されてもよい。コンピュータ装置１０１は、ディスプレイ装置１３６に表示されるコンテンツに関係付けられる１つ以上の触覚効果を出力してもよい。例えば、コンテンツは映像又はビデオゲームを含んでもよく、コンピュータ装置１０１はディスプレイ装置１３６に表示されたビデオゲーム又は映像コンテンツに対応する１つ以上の触覚効果を出力してもよい。例えば、映像コンテンツは、１つ以上のアクション又は相互作用（例えば、映像内のキャラクタ又はオブジェクト間の相互作用）を含んでもよい。コンピュータ装置１０１は、ディスプレイ装置１３６に表示されるとユーザがアクション及び／又は相互作用を知覚できるようにアクション又は相互作用に関係付けられる１つ以上の振動を出力し得る。
【００７１】
一部の実施形態では、ディスプレイ装置１３６は、コンピュータ装置１０１の存在又は近接を検出するためのセンサ２０６を備えてもよい。一部の実施形態では、センサ２０６は、ユーザ２０４の視線若しくは視野２０８又はユーザ２０４の凝視２１０の方向を検出するように構成されてもよい。図２に示される実施形態では、ディスプレイ装置１３６はセンサ２０６を備え、これは図１のカメラ１５６又はセンサ１５８と実質的に同様に構成されてもよい。
【００７２】
一部の実施形態では、ディスプレイ装置１３６は、センサ２０６からのデータに少なくとも部分的に基づいてコンピュータ装置１０１にデータを送信してもよい。例えば、センサ２０６は、（例えば、ブルートゥース信号を介して）コンピュータ装置１０１の存在又は近接を検出して、センサ２０６からのデータに基づいてディスプレイ装置１３６の可用性、場所又は属性を示すデータを送信してもよい。
【００７３】
別の例示として、センサ２０６は、ユーザ２０４の視野２０８又はユーザの視線２１０の方向を検出してもよい。ディスプレイ装置１３６は、センサ２０６からのデータに基づいてディスプレイ装置１３６の可用性、場所又は属性を示すデータを送信してもよい。例えば、ディスプレイ装置１３６は、センサ２０６からのデータに基づいて、ユーザ２０４がディスプレイ装置１３６又はディスプレイ装置のディスプレイ１５０を見ている又はその方向を見ていることを決定して、この決定に基づいてディスプレイ装置の可用性、場所又は属性に関するデータをコンピュータ装置１０１に送信してもよい。一部の実施形態では、コンピュータ装置１０１は、上記のように、ディスプレイ装置１３６の可用性、場所又は属性に基づいてユーザ２０４に１つ以上の他の触覚効果を出力してもよい。
【００７４】
一部の実施形態では、ディスプレイ装置１３６は、センサ２０６からのデータに少なくとも部分的に基づいて触覚効果を決定してもよい。例えば、一部の実施形態では、ディスプレイ装置１３６は、ユーザ２０４の視野２０８又はユーザの視線２１０の方向に基づいて触覚効果を決定してもよい。このような実施形態では、ディスプレイ装置１３６は、センサ２０６からのデータに基づいてユーザ２０４がディスプレイ装置１３６又はディスプレイ１５０を見ている又はその方向を見ていることを決定して、ディスプレイ装置１３６のユーザ２１２に（例えば、ユーザの手首、手、腕、脚、手に）触覚効果（例えば、振動）を出力してもよい。触覚効果は、ユーザ２０４がディスプレイ装置１３６又はディスプレイ１５０を見ていることをユーザ２１２に示してもよい。例えば、図２に示される実施形態では、ディスプレイ装置１３６は、ユーザ２０４がユーザ２０４に関連し得るディスプレイ装置のディスプレイ１５０上のコンテンツ（例えば、コンピュータ装置１０１からディスプレイ装置１３６に送信されるコンテンツ）を読んでいる又は観察していることをユーザ２１２に示すためにユーザの手首２１４に触覚効果を出力してもよい。一部の実施形態では、ユーザ２１２は、触覚効果に応じてディスプレイ装置１３６の位置を維持してもよい。別の実施形態では、ユーザ２１２は、触覚効果に応じてユーザ２０４の視野２０８の外にディスプレイ装置１３６を移動させてもよい。
【００７５】
一部の実施形態では、ディスプレイ装置１３６は、センサ２０６からのデータに基づいてユーザがディスプレイ装置１３６をどのように方向付けるかをユーザ２１２に示すためにユーザ２１２に１つ以上の他の触覚効果を出力してもよい。例えば、センサは、ユーザの視線２１０がディスプレイ１５０の上部に向いていることを検出してもよい。ディスプレイ装置１３６は、センサ２０６からのデータ基づいてユーザ２１２に１つ以上の触覚効果を出力してもよい。触覚効果は、ユーザ２０４がディスプレイ１５０の上部においてコンテンツを観察し得るようにユーザがユーザの手首２１４を回転させるべきであることをユーザ２１２に示してもよい。例えば、ディスプレイ装置１３６は、ユーザ２０４がディスプレイ１５０の上端を見ていることをユーザ２１２に示すためにディスプレイ装置の上端に向かって（例えば、ユーザの手首２１４の上端に向かって）振動を出力してもよく、それに従ってユーザ２１２にディスプレイ装置１３６を調節させてもよい。
【００７６】
図３は、別の実施形態による日和見ディスプレイ用の触覚フィードバックのためのシステムの別の実施形態を示す。図３に描かれた例では、システムは、スマートフォン又はタブレットを含むコンピュータ装置３０２及び日和見ディスプレイ装置３０４を備える。コンピュータ装置３０２は、日和見ディスプレイ装置３０４の存在、可用性又は場所を検出し得るセンサ（図示せず）を備える。日和見ディスプレイ装置３０４は、ディスプレイ３０６を含む任意の装置を備える。一部の実施形態では、日和見ディスプレイ装置３０４は、センサ３１０を備えてもよい。
【００７７】
図３に描かれた例では、コンピュータ装置３０２のユーザ３０８は日和見ディスプレイ装置３０４の傍を歩いていてもよく、コンピュータ装置３０２はユーザ３０８のポケット又は他の場所に有ってもよい。コンピュータ装置３０２のセンサは、ユーザ３０８が日和見ディスプレイ装置３０４の近くに居る場合に（例えば、日和見ディスプレイ装置３０４がユーザ３０８の視野内に有る場合に）、日和見ディスプレイ装置３０４を検出してもよい。一部の実施形態では、センサは、イベントの発生に応じて日和見ディスプレイ装置３０４を検出してもよい。本明細書で使用されるイベントは、関連する触覚効果を含む可能性があるコンピュータ装置３０２の動作の間に発生する任意の相互作用、アクション又は他のイベントである。一部の実施形態では、イベントは、システム状態（例えば、バッテリ低下、メモリ不足）、システム通知（システムがメッセージ、着信電話呼び出し、アラート、更新、次回の会合のリマインダ等を受信することに基づいて生成される通知）、データの受信（例えば、テキストメッセージの受信）を含んでもよい。例えば、コンピュータ装置３０２は、アラート又は更新（例えば、会合に関するアラート又はニュースのアラート）を受信してもよい。センサは、アラートに応じてユーザ３０８の視野内に日和見ディスプレイ装置３０４を検出してもよい。
【００７８】
一部の実施形態では、日和見ディスプレイ装置３０４は、ユーザ３０８が日和見ディスプレイ装置３０４に接近するとコンピュータ装置３０２を検出してもよい。例えば、日和見ディスプレイ装置３０４は、ユーザ３０８が日和見ディスプレイ装置３０４の近くに居る場合にコンピュータ装置３０２を検出し得るセンサ３１０（例えば、図２のセンサ２０６と実質的に同様に構成されたカメラ又は他のセンサ）を含んでもよい。別の実施形態では、センサ３１０は、（例えば、ユーザが日和見ディスプレイ装置３０４の方向を見ている場合に）ユーザ３０８の視線の方向又はユーザ３０８の視野を検出してもよい。一部の実施形態では、日和見ディスプレイ装置３０４は、センサ３１０からのデータに基づいてコンピュータ装置３０２に日和見ディスプレイ装置３０４の可用性又は場所に関係付けられる信号を送信してもよい。例えば、日和見ディスプレイ装置３０４は、日和見ディスプレイ装置３０４がユーザ３０８の視野内に有る場合、日和見ディスプレイ装置３０４の可用性及び場所に関する信号を送信してもよい。
【００７９】
一部の実施形態では、コンピュータ装置３０２は、センサデータ（例えば、コンピュータ装置３０２のセンサからのデータ又は日和見ディスプレイ装置３０４のセンサ３１０からのデータ）に基づいて日和見ディスプレイ装置３０４の可用性又は場所を決定してもよい。例えば、コンピュータ装置３０２は、センサデータに基づいて、イベント（例えば、コンピュータ装置３０２によって受信されたアラート）に関係付けられるコンテンツを表示するために日和見ディスプレイ装置３０４が利用可能であるかどうかを決定してもよい。コンピュータ装置３０２は、ディスプレイ装置が利用可能であることを決定することに応じて日和見ディスプレイ装置３０４にデータを送信してもよい。日和見ディスプレイ装置３０４は、（例えば、ディスプレイ３０６を介して）データに基づいてイベントに関係付けられるコンテンツを表示してもよい。図３に示された例では、コンピュータ装置３０２は、ディスプレイ３０６に示されるようにアラート３０９を日和見ディスプレイ装置３０４に送信する。
【００８０】
一部の実施形態では、コンピュータ装置３０２は、日和見ディスプレイ装置３０４の可用性に少なくとも部分的に基づいて第１の触覚効果を決定して出力してもよい。例えば、一部の実施形態では、コンピュータ装置３０２は、（例えば、日和見ディスプレイ装置３０４がアラート３０９を表示しているときに）日和見ディスプレイ装置３０４がイベントに関係付けられるコンテンツを表示していることに基づいて第１の触覚効果を決定してもよい。コンピュータ装置３０２は、日和見ディスプレイ装置３０４がユーザ３０８に関連するコンテンツを表示していること（例えば、日和見ディスプレイ装置３０４がコンピュータ装置３０２によって受信されたアラート３０９を表示していること）をユーザ３０８に示すためにユーザ３０８の体の一部（例えば、腰又は体の他の部分）に第１の触覚効果（例えば、振動、絞り、又は突き）を出力してもよい。
【００８１】
一部の実施形態では、コンピュータ装置３０２は、（例えば、ユーザ３０８に対する）日和見ディスプレイ装置３０４の場所又は位置に少なくとも部分的に基づいて第２の触覚効果を決定して出力してもよい。一部の実施形態では、第２の触覚効果は、１つ以上の触覚効果を含んでもよい。一部の実施形態では、コンピュータ装置３０２は、ユーザ３０８とディスプレイ装置との間の近接性又は距離を示すためにユーザの体の一部に第２の触覚効果（例えば、振動）を出力してもよい。例えば、コンピュータ装置３０２は、日和見ディスプレイ装置３０４がユーザ３０８に近いことを示すためにユーザ３０８に強い触覚効果（例えば、強い振動）を出力してもよい。また、コンピュータ装置３０２は、日和見ディスプレイ装置３０４がユーザ３０８の正面に有ることを示すためにコンピュータ装置３０２の上端に別の触覚効果（例えば、振動）を出力してもよい。別の例示として、コンピュータ装置は、ユーザ３０８の腕に装着されてもよい。コンピュータ装置３０２は、ユーザに対するディスプレイ装置３０４の方向を示し得る、（例えば、ユーザ３０８の腕に沿って一連の触覚出力を出力することにより）日和見ディスプレイ装置３０４への方向に向かう流れの認知を生成し得る１つ以上の触覚効果を出力してもよい。一部の実施形態では、第１及び第２の触覚効果は、ディスプレイ装置３０４の可用性及びユーザ３０８に対するディスプレイ装置３０４の場所を示すための単一の合成触覚効果を形成するために結合されてもよい。
【００８２】
一部の実施形態では、コンピュータ装置３０２は、日和見ディスプレイ装置３０４によって表示されるコンテンツに少なくとも部分的に基づいて第３の触覚効果を決定して出力してもよい。一部の実施形態では、第３の触覚効果は、１つ以上の触覚効果を含んでもよい。例えば、コンピュータ装置３０２は、ディスプレイ装置によって表示されるアラート３０９に関係付けられる触覚効果を出力してもよい。例えば、アラート３０９は映像であってもよく、コンピュータ装置３０２は、日和見ディスプレイ装置３０４によって表示される映像に対応する１つ以上の触覚効果をユーザ３０８に出力してもよい。例えば、映像は、（例えば、ニュースアラート又は他のアラートにおいて）衝突又は一連の衝突を含んでもよく、第３の触覚効果は、各衝突に対応する一連の振動であってもよく、これはユーザが映像内の１つ以上の衝突に関係付けられる触覚効果を体験することを可能にする。
【００８３】
一部の実施形態では、日和見ディスプレイ装置３０４は、触覚出力装置を備えてもよい。このような実施形態では、日和見ディスプレイ装置３０４は、センサ３１０からのデータに基づいて触覚効果を決定して出力してもよい。例えば、このような実施形態では、センサ３１０は、ユーザ３０８が日和見ディスプレイ装置３０４に接近するとコンピュータ装置３０２を検出してもよく、又はユーザ３０８の視野を検出してもよい。日和見ディスプレイ装置３０４は、（例えば、日和見ディスプレイ装置３０４によって表示されるコンテンツに関係付けられるデータを受信するために）コンピュータ装置３０２に通信可能に結合されてもよい。日和見ディスプレイ装置３０４は、ユーザ３０８が日和見ディスプレイ装置３０４に接近すると触覚効果（例えば、固体、液体又は気体の吹き出し又は振動）を出力してもよい。触覚効果は、日和見ディスプレイ装置３０４が利用可能であること（例えば、コンピュータ装置３０２によって受信されたアラート３０９を表示すること）をユーザ３０８に示してもよく、又はユーザ３０８に対する日和見ディスプレイ装置３０４の場所を示してもよい。例えば、日和見ディスプレイ装置３０４は、アラート３０９が表示されていることを示すため及び日和見ディスプレイ装置３０４の場所を示すためにユーザ３０８が日和見ディスプレイ装置３０４の近くに居る場合に強い振動を出力し得る。
【００８４】
［日和見ディスプレイ用の触覚フィードバックの例示の方法］
図４は、一実施形態による日和見ディスプレイ用の触覚フィードバックを提供する方法４００を実行するためのステップのフローチャートである。一部の実施形態では、図４のステップは、例えば、汎用コンピュータ、移動装置又はサーバにおけるプロセッサによって実行可能なプログラムコードで実装されてもよい。一部の実施形態では、こうしたステップは一群のプロセッサによって実装されてもよい。一部の実施形態では、図４に示される１つ以上のステップは省略され又は異なる順番で行われてもよい。同様に、一部の実施形態では、図４に示されない追加のステップが実行されてもよい。以下のステップは図１及び２に示されたシステムに関して先に記載されたコンポーネントを参照して記載される。
【００８５】
方法４００は、コンピュータ装置１０１のセンサ１３２がユーザ２０４の視野内に１つ以上のディスプレイ装置１３６を検出するステップ４０２で開始する。一部の実施形態では、センサ１３２は、センサ１３２又はコンピュータ装置１０１に近いディスプレイ装置１３６を検出し得る。ディスプレイ装置１３６は、センサ１３２又はコンピュータ装置１０１の近くに有り且つコンテンツを表示するために使用され得るディスプレイ装置を含む日和見ディスプレイであってもよい。一部の実施形態では、ディスプレイ装置１３６がユーザ２０４にコンテンツを表示するために使用できるように、ディスプレイ装置１３６はユーザ２０４の視野内に有る。例えば、センサ１３２は、センサ１３２とディスプレイ装置１３６との間のブルートゥース信号の強度を分析することによりディスプレイ装置１３６の存在及び場所を検出することができる。一部の実施形態では、センサ１３２は、（例えば、センサ１３２とディスプレイ装置１３６との間のブルートゥース信号の強度に基づいて）センサ１３２、コンピュータ装置１０１及びディスプレイ装置１３６の間の距離を検出してもよい。
【００８６】
方法４００は、ディスプレイ装置１３６に関する信号がプロセッサ１０２に送信されるステップ４０４に進む。一部の実施形態では、センサ１３２は、ディスプレイ装置１３６に関する信号をプロセッサ１０２に送信する。他の実施形態では、ディスプレイ装置に関係付けられる別のセンサ（例えば、ディスプレイ装置１３６のセンサ２０６）が、ディスプレイ装置１３６に関する信号を送信する。
【００８７】
方法、プロセッサ１０２が信号に基づいてディスプレイ装置１３６の可用性及び場所を決定するステップ４０６に進む。一部の実施形態では、プロセッサ１０２は、コンテンツ（例えば、テキスト、画像、音声、映像、アニメーショングラフィックス等）をユーザ２０４に表示するためにディスプレイ装置１３６の可用性を決定する。例えば、プロセッサ１０２は、ブルートゥースを介してコンピュータ装置１０１に接続してコンピュータ装置１０１からコンテンツを受信するためにディスプレイ装置１３６が発見可能且つ利用可能であるかどうかを決定し得る。一部の実施形態では、プロセッサ１０２は、（例えば、以下に記載のステップ４１０において）ディスプレイ装置１３６にコンテンツを提供するように構成され得る。
【００８８】
一部の実施形態では、プロセッサ１０２は、ユーザ２０４に対するディスプレイ装置１３６の場所を決定する。例えば、プロセッサ１０２は、ユーザ２０４に対するディスプレイ装置１３６の水平及び垂直位置を決定する。
【００８９】
方法４００は、プロセッサ１０２が信号に基づいてディスプレイ装置１３６の特徴を決定するステップ４０８に進む。一部の実施形態では、プロセッサ１０２は、センサからの信号に基づいてディスプレイ装置１３６のタイプ、サイズ、又は形状を決定する。例えば、プロセッサ１０２は、ディスプレイ装置１３６が大きなディスプレイ装置（例えば、大型ＬＣＤスクリーン）又は小さなディスプレイ装置（例えば、スマートウォッチ）であることを決定する。別の例示として、プロセッサ１０２は、ディスプレイ装置１３６のタイプ、例えば、ディスプレイ装置１３６がＬＣＤスクリーンであるか又はスマートウォッチであるかを決定する。
【００９０】
方法４００は、プロセッサ１０２がディスプレイ装置１３６にコンテンツを送信するステップ４１０に進む。一部の実施形態では、コンテンツ提供モジュール１２９は、プロセッサ１０２にコンテンツをディスプレイ装置１３６へと送信させる。例えば、プロセッサ１０２は、（例えば、ステップ４０６において）ディスプレイ装置１３６が利用可能であることをプロセッサ１０２が決定する場合、ディスプレイ装置１３６にテキストメッセージ又はアラートを送信し得る。
【００９１】
方法４００は、プロセッサ１０２がディスプレイ装置１３６の可用性及び場所に少なくとも部分的に基づいて第１の触覚効果を決定するステップ４１２に進む。一部の実施形態では、触覚効果決定モジュール１２６は、プロセッサ１０２に第１の触覚効果を決定させる。一部の実施形態では、第１の触覚効果は、１つ以上の触覚効果を含み得る。例えば、第１の触覚効果は、ディスプレイ装置１３６の可用性に基づく可用性触覚効果及びディスプレイ装置１３６の場所に基づく場所触覚効果を含み得る。
【００９２】
例えば、プロセッサ１０２は、ディスプレイ装置１３６が利用可能であること（例えば、コンピュータ装置１０１から受信したコンテンツを表示するために利用可能である及び／又はコンピュータ装置１０１からのコンテンツを表示していること）、及びユーザ２０４に対するディスプレイ装置１３６の水平及び垂直位置に関係付けられる第１の触覚効果（例えば、一連の振動）を決定し得る。一例として、第１の触覚効果は、ユーザに対するディスプレイ装置１３６の水平位置を示すためにコンピュータ装置１０１又はユーザ２０４の体の一部の左側又は右側に出力される一連の断続的振動、及び／又はユーザ２０４に対するディスプレイ装置１３６の垂直位置を示すためにコンピュータ装置１０１又はユーザ２０４の体の一部の上部又は下部に出力される一連の断続的振動が後に続くコンテンツをディスプレイ装置１３６が表示していることをユーザ２０４に示す第１の振動を含む。
【００９３】
方法４００は、プロセッサがディスプレイ装置１３６の特徴に少なくとも部分的に基づいて第２の触覚効果を決定するステップ４１４に進む。一部の実施形態では、触覚効果決定モジュール１２６は、プロセッサ１０２に第２の触覚効果を決定させる。
【００９４】
例えば、プロセッサ１０２は、ディスプレイ装置１３６のサイズ、タイプ、形状、又は他の属性に基づいて第２の触覚効果を決定し得る。例えば、第２の触覚効果は、ディスプレイ装置１３６が大きなディスプレイ装置（例えば、大型ＬＥＤスクリーン）である場合に強い振動であり得る。例えば、第２の触覚効果は、ディスプレイ装置１３６が小さなディスプレイ装置（例えば、スマートウォッチ）である場合に弱い振動であり得る。
【００９５】
方法４００は、（例えば、ステップ４１０において）プロセッサがディスプレイ装置１３６に送信されたコンテンツに少なくとも部分的に基づいて第３の触覚効果を決定するステップ４１６に進む。一部の実施形態では、触覚効果決定モジュール１２６は、プロセッサ１０２に第３の効果を決定させる。
【００９６】
例えば、ディスプレイ装置１３６に送信されたコンテンツが映像である場合、プロセッサ１０２は、映像に対応する第３の触覚効果を決定し得る。例えば、映像は１つ以上の爆発又は衝突を含んでもよく、第３の触覚効果は爆発又は衝突に対応する１つ以上の振動を含み得る。
【００９７】
方法は、プロセッサ１０２が触覚出力装置１１８に第１の触覚効果に関係付けられる第１の触覚信号、第２の触覚効果第１の触覚効果第２の触覚信号、又は触覚出力装置１１８に第３の触覚効果に関係付けられる第３の触覚信号を送信するステップ４１８に進む。一部の実施形態では、プロセッサ１０２は、第１、第２及び第３の触覚信号の１つ以上を触覚出力装置１１８に送信してもよい。一部の実施形態では、触覚効果生成モジュール１２８は、第１、第２及び第３の触覚信号をプロセッサ１０２に生成させて、触覚出力装置１１８に送信させてもよい。
【００９８】
方法４００は、触覚出力装置１１８がディスプレイ装置１３６の可用性及び場所に基づいて第１の触覚効果を出力するステップ４２０に進む。一部の実施形態では、第１の触覚効果は、振動、表面変形、絞り、突き、及び／又は固体、液体、気体又はプラズマの吹き出しを含む。
【００９９】
一部の実施形態では、第１の触覚効果は、ディスプレイ装置１３６がユーザ２０４に関連するコンテンツ（例えば、コンピュータ装置１０１からディスプレイ装置１３６に送信されるコンテンツ）を表示していることをユーザ２０４に示し、且つディスプレイ装置１３６の場所をユーザ２０４に示すことができる。このようにして、ユーザ２０４は、ユーザ２０４に関連し得るディスプレイ装置１３６に表示されているコンテンツを観察するように警告され得る。
【０１００】
方法４００は、ディスプレイ装置１３６の特徴に基づく第２の触覚効果又はディスプレイ装置１３６に送信されるコンテンツに基づく第３の触覚効果を出力するステップ４２２に進む。一部の実施形態では、第２又は第３の触覚効果の各々は、振動、表面変形、絞り、突き、及び／又は固体、液体、気体又はプラズマの吹き出しを含み得る。一部の実施形態では、第２の触覚効果は、ユーザに関連するコンテンツを表示しているディスプレイ装置１３６のサイズ、タイプ又は形状をユーザ２０４に示し得る。第３の触覚効果は、ディスプレイ装置１３６によって表示されるコンテンツに関係付けられる触覚効果をユーザ２０４が知覚することを可能にし得る。
【０１０１】
図５は、別の実施形態による日和見ディスプレイ用の触覚フィードバックを提供する別の方法５００を実行するためのステップのフローチャートである。一部の実施形態では、図５のステップは、例えば、汎用コンピュータ、移動装置又はサーバにおけるプロセッサによって実行可能なプログラムコードで実装されてもよい。一部の実施形態では、こうしたステップは一群のプロセッサによって実装されてもよい。一部の実施形態では、図５に示される１つ以上のステップは省略され又は異なる順番で行われてもよい。同様に、一部の実施形態では、図５に示されない追加のステップが実行されてもよい。以下に記載のステップは図１及び２に示されたシステムに関して先に記載されたコンポーネントを参照して記載される。
【０１０２】
方法５００は、ディスプレイ装置１３６のセンサ２０６がディスプレイ装置１３６の近くにコンピュータ装置１０１を検出するステップ５０２で開始する。一部の実施形態では、センサ２０６は、コンピュータ装置１０１の存在又は近接を検出してもよい。例えば、センサ２０６は、センサ２０６とコンピュータ装置１０１との間の信号強度を分析することにより（例えば、コンピュータ装置１０１が発見可能であるかどうかを決定すること及びブルートゥース信号の強度に基づいてコンピュータ装置１０１の近接を決定することにより）、コンピュータ装置１０１の存在及び近接を検出し得るブルートゥース装置を含んでもよい。
【０１０３】
方法５００は、センサ２０６がコンピュータ装置１０１のユーザ２０４の視野２０８を検出するステップ５０４に進む。一部の実施形態では、センサ２０６は、ユーザ２０４の視線２１０の方向又は視野２０８を検出できるカメラ又は他の適切な装置を含む。
【０１０４】
方法は、ユーザの視線２１０の方向又は視野２０８に関する第１の信号がディスプレイ装置１３６のプロセッサ１３８に送信されるステップ５０６に進む。一部の実施形態では、センサ２０６は、第１の信号をプロセッサ１３８に送信する。
【０１０５】
方法は、第１の信号（例えば、ステップ５０６でセンサ２０６からプロセッサ１３８に送信された第１の信号）に基づいてユーザ２０４の視線２１０の方向又は視野２０８の方向を決定するステップ５０８に進む。
【０１０６】
例えば、センサ２０６は、ユーザ２０４の視線２１０の方向又は視野２０８に関するデータをディスプレイ装置１３６のプロセッサ１３８に送信し得る。プロセッサ１３８は、ユーザの視線２１０の方向又は視野２０８に基づいてユーザ２０４がディスプレイ装置１３６を見ている又はその方向を見ていることを決定することができる。一例として、センサ２０６はユーザ２０４の目の動き又はユーザ２０４の目の近くの筋肉の動きを監視するためのカメラを含んでもよく、プロセッサ１３８は監視された動きに基づいてユーザ２０４の視線２１０の方向又は視野２０８を決定することができる。別の例示として、センサ２０６はユーザ２０４の目を動かす筋肉の電気的活動を監視又は測定し、プロセッサ１３８は筋肉の電気的活動に基づいてユーザ２０４の視線２１０の方向又は視野２０８を決定する。プロセッサ１３８は、ユーザの視線２１０の方向又は視野２０８に基づいてユーザ２０４がディスプレイ装置１３６を見ている又はその方向を見ていることを決定することができる。
【０１０７】
方法は、ディスプレイ装置１３６に関する第２の信号がコンピュータ装置１０１に（例えば、コンピュータ装置１０１のプロセッサ１０２に）送信されるステップ５１０に進む。一部の実施形態では、ディスプレイ装置１３６は、ユーザ２０４の視線２１０の方向又は視野２０８に少なくとも部分的に基づいてコンピュータ装置１０１に第２の信号を送信し得る。
【０１０８】
例えば、ディスプレイ装置１３６のプロセッサ１３８は、ユーザ２０４がディスプレイ装置１３６を見ている又はその方向を見ていることを決定してもよく、ディスプレイ装置１３６は、決定に基づいてコンピュータ装置１０１にディスプレイ装置１３６の可用性、場所又は属性を示す第２の信号を送信し得る。一部の実施形態では、コンピュータ装置１０１は、上記のように、第２の信号に基づいてディスプレイ装置の可用性、場所又は属性を決定し得る。
【０１０９】
方法は、プロセッサ１３８がユーザ２０４の視野２０８に少なくとも部分的に基づいてディスプレイ装置触覚効果を決定するステップ５１２に進む。一部の実施形態では、ディスプレイ装置の触覚効果決定モジュール１６４は、プロセッサ１３８にディスプレイ装置触覚効果を決定させる。
【０１１０】
例えば、プロセッサ１３８は、（例えば、ステップ５１０において）コンピュータ装置１０１のユーザ２０４がディスプレイ装置１３６を見ている又はその方向を見ていることに基づいてディスプレイ装置触覚効果を決定し得る。プロセッサ１３８は、ユーザ２０４がディスプレイ装置１３６を見ている又はその方向を見ていることをユーザ２１２に示すためにディスプレイ装置１３６のユーザ２１２に出力されるディスプレイ装置触覚効果を決定し得る。一例として、ディスプレイ装置１３６はスマートウォッチであってもよく、ユーザ２０４がディスプレイ装置１３６のディスプレイ１５０を見ていること（例えば、ユーザ２０４がディスプレイ１５０上のコンテンツを観察していること）をユーザ２１２に示すために短く振動し得る。
【０１１１】
一部の実施形態では、ディスプレイ装置触覚効果は、１つ以上の触覚効果を含み得る。例えば、ディスプレイ装置触覚効果は、ユーザ２０４がディスプレイ装置１３６を見ていることをユーザ２１２に示すための触覚効果（例えば、短い振動）を含み得る。ディスプレイ装置触覚効果は、ユーザ２１２がディスプレイ装置１３６上に表示されているコンテンツをユーザ２０４が観察できるように、ユーザ２１２が腕、手首、脚又は手を調節するべきであることをユーザ２１２に示すための別の触覚効果（例えば、強い振動）を含み得る。一例として、スマートウォッチは、ユーザ２０４がディスプレイ装置１３６の下部を見ていることをユーザ２１２に示すためにユーザの手首２１４の下部に向かってスマートウォッチの下部において振動し得る。ユーザ２１２は、ディスプレイ装置１３６上のコンテンツをユーザ２０４が良く観察できるようにディスプレイ装置触覚効果に応じてユーザの手首２１４を調節してもよい（例えば、ディスプレイ装置１３６の下部が良く見えるように手首２１４を回転させる）。
【０１１２】
方法５００は、プロセッサ１３８がディスプレイ装置触覚効果に関係付けられるディスプレイ装置触覚信号をディスプレイ装置１３６の触覚出力装置１６０に送信するステップ５１４に進む。一部の実施形態では、触覚効果生成モジュール１６８は、ディスプレイ装置触覚信号をプロセッサ１３８に生成させて、触覚出力装置１１８に送信させる。
【０１１３】
方法５００は、触覚出力装置１６０がディスプレイ装置触覚効果を出力するステップ５１６に進む。一部の実施形態では、ディスプレイ装置触覚効果は、コンピュータ装置１０１のユーザ２０４の視野２０８の方向に基づいてディスプレイ装置１３６のユーザ２１２に出力され得る。他の実施形態では、ディスプレイ装置触覚効果は、ユーザ２０４の視野２０８の方向に基づいてコンピュータ装置１０１のユーザ２０４に出力され得る。一部の実施形態では、ディスプレイ装置触覚効果は、振動、表面変形、絞り、突き、及び／又は固体、液体、気体又はプラズマの吹き出しを含む。一部の実施形態では、ディスプレイ装置触覚効果は、ユーザ２０４がディスプレイ装置１３６を見ていることをユーザ２１２に示すための１つ以上の触覚効果を含む。他の実施形態では、ディスプレイ装置触覚効果は、ディスプレイ装置１３６が利用可能であることをユーザ２０４に示すため及びユーザ２０４に対するディスプレイ装置１３７の場所を示すための１つ以上の触覚効果を含む。
【０１１４】
［概論］
上記の方法、システム及び装置は例示である。様々な構成によって、適宜、様々な手続き又はコンポーネントが省略、置換、又は追加されてもよい。例えば、代替的な構成では、方法は記載されたものとは異なる順序で実行されてもよく、及び／又はステージが追加、省略及び／又は結合されてもよい。また、所定の構成に関して記載された機能は、様々な他の構成に結合されてもよい。構成の異なる態様及び要素が、同様に結合されてもよい。また、技術は進歩するものであり、そのため要素の多くは例示であり、本開示又は特許請求の範囲を限定しない。
【０１１５】
例示的な構成（実装を含む）の十分な理解を与えるために説明の中で特定の詳細が与えられている。しかしながら、こうした構成は特定の詳細無しで実施されてもよい。例えば、周知の回路、工程、アルゴリズム、構造及び技術が、構成を不明確にするのを避けるために不要な詳細無しで示されている。この説明は、例示的な構成のみを提供するものであり、請求項の範囲、応用性又は構成を限定しない。むしろ、構成の上記説明は、記載された技術を実装するための実施可能な説明を当業者に提供するであろう。本開示の精神又は範囲から逸れることなく、要素の機能及び配置の様々な変更が行われてもよい。
【０１１６】
また、構成は、フロー図又はブロック図として描かれる処理として記載されてもよい。各々が連続した工程として操作を説明している場合が有るが、こうした操作の多くは並列的又は同時に行われ得る。更に、操作の順序は並び替えられてもよい。工程は、図面に含まれない追加のステップを有してもよい。更に、方法の例示は、ハードウェア、ソフトウェア、ファームウェア、ミドルウェア、マイクロコード、ハードウェア記述言語、又はこれらの任意の組み合わせによって実装されてもよい。ソフトウェア、ファームウェア、ミドルウェア又はマイクロコードで実装される場合、必要なタスクを実行するためのプログラムコード又はコードセグメントは、記憶媒体等の非一時的なコンピュータ可読媒体に記憶されてもよい。プロセッサは、記載されたタスクを実行してもよい。
【０１１７】
複数の例示的な構成が記載されているが、本開示の精神から逸脱することなく、様々な修正、代替構造及び均等物が使用されてもよい。例えば、上記の要素は、より大きなシステムのコンポーネントであってもよく、他の規則が本発明のアプリケーションに優先し又はそれを修正してもよい。また、上記の要素が検討される前、間又は後で多くのステップが行われてもよい。従って、先の記載によって請求項の範囲は縛られない。
【０１１８】
本明細書における「適合される」又は「構成される」の使用は、追加のタスク又はステップを実行するように適合又は構成される装置を排除しない開放的且つ包括的な言語を意図している。更に、「基づいて」の使用は開放的且つ包括的であることが意図されており、即ち、１つ以上の記載された条件又は値に「基づいて」行われる処理、ステップ、計算、又は他の動作が、実際には、記載されたものを超える追加の条件又は値に基づいてもよい。本明細書に含まれる表題、リスト及び番号は、単に説明を容易にするためのものであって、限定することを意図していない。
【０１１９】
本主題の態様に従う実施形態は、デジタル電子回路、コンピュータハードウェア、ファームウェア、ソフトウェア、又はこれらの組み合わせで実装され得る。一実施形態では、コンピュータは、１つ又は複数のプロセッサを備えてもよい。プロセッサは、プロセッサに結合されるＲＡＭ（ランダム・アクセス・メモリ；ｒａｎｄｏｍ  ａｃｃｅｓｓ  ｍｅｍｏｒｙ）等のコンピュータ可読媒体を備え、又はそれへのアクセスを有する。プロセッサは、センササンプリングルーチン、選択ルーチン、及び上述の方法を実行する他のルーチン等、メモリに記憶されたコンピュータ実行可能プログラム命令を実行する。
【０１２０】
このようなプロセッサは、マイクロプロセッサ、ＤＳＰ（デジタル・シグナル・プロセッサ；ｄｉｇｉｔａｌ  ｓｉｇｎａｌ  ｐｒｏｃｅｓｓｏｒ）、ＡＳＩＣ（特定用途向け集積回路；ａｐｐｌｉｃａｔｉｏｎ−ｓｐｅｃｉｆｉｃ  ｉｎｔｅｇｒａｔｅｄ  ｃｉｒｃｕｉｔ）、ＦＰＧＡ（フィールド・プログラマブル・ゲート・アレイ；ｆｉｅｌｄ  ｐｒｏｇｒａｍｍａｂｌｅ  ｇａｔｅ  ａｒｒａｙ）、及び状態機械を含む。このようなプロセッサは、ＰＬＣ、ＰＩＣ（割り込みコントローラ；ｐｒｏｇｒａｍｍａｂｌｅ  ｉｎｔｅｒｒｕｐｔ  ｃｏｎｔｒｏｌｌｅｒ）、ＰＬＤ（プログラム可能論理回路；ｐｒｏｇｒａｍｍａｂｌｅ  ｌｏｇｉｃ  ｄｅｖｉｃｅ）、ＰＲＯＭ（プログラム可能ＲＯＭ；ｐｒｏｇｒａｍｍａｂｌｅ  ｒｅａｄ−ｏｎｌｙ  ｍｅｍｏｒｙ）、ＥＰＲＯＭ又はＥＥＰＲＯＭ（電気的プログラム可能ＲＯＭ；ｅｌｅｃｔｒｏｎｉｃａｌｌｙ  ｐｒｏｇｒａｍｍａｂｌｅ  ｒｅａｄ−ｏｎｌｙ  ｍｅｍｏｒｙ）、又は他の類似の装置等のプログラム可能電子装置を更に備えてもよい。
【０１２１】
このようなプロセッサは、媒体、例えば、プロセッサによって実行されると、プロセッサによって遂行又は支援される本明細書に記載のステップをプロセッサに実行させることができる命令を記憶し得る有形のコンピュータ可読媒体を備え、又はこれと通信してもよい。コンピュータ可読媒体の実施形態は、限定されないが、プロセッサ、例えばウェブサーバのプロセッサにコンピュータ可読命令を提供することができる全ての電子、光学、磁気、又は他の記憶装置を備えてもよい。媒体の他の例は、限定されないが、フロッピーディスク、ＣＤ−ＲＯＭ、磁気ディスク、メモリチップ、ＲＯＭ、ＲＡＭ、ＡＳＩＣ、構成プロセッサ、全ての光学媒体、全ての磁気テープ若しくは他の磁気媒体、又はコンピュータプロセッサが読み取り可能な任意の他の媒体を含む。また、様々な他の装置は、ルータ、プライベート若しくはパブリックネットワーク、又は他の伝送装置等のコンピュータ可読媒体を含んでもよい。記載されたプロセッサ及び処理は、１つ以上の構造内に有ってもよく、１つ以上の構造を通じて分散されてもよい。プロセッサは、本明細書に記載の１つ以上の方法（又は方法の一部）を実行するためのコードを備えてもよい。
【０１２２】
本主題はその特定の実施形態に関して詳細に記載されているが、上記のことを理解すると、このような実施形態の変形、変化、及び均等物を当業者であれば容易に生み出し得ることが理解されるであろう。従って、本開示は、限定ではなく例示を目的として提示されており、当業者には容易に明らかとなる本主題への修正、変更及び／又は追加を含むことを排除しないことが理解されるべきである。
【図１】
2017224290.tif 000003
【図２】
2017224290.tif 000004
【図３】
2017224290.tif 000005
【図４】
2017224290.tif 000006
【図５】
2017224290.tif 000007
【外国語明細書】
2017224290000001.pdf